(57)【要約】【課題】  下面に取り付ける上枠の屋内側ねじ止め部がねじを屋内側から螺入するものと下から螺入するものとでねじ止め方向が異なる上枠であっても取り付けできる無目材を提供する。【解決手段】  本発明の無目材１において、上枠ねじ止め用竪壁３９の先端を下方に向けて無目本体ねじ止め用竪壁３７を補助材取付凹部２１を構成する屋内側壁２１ａに屋内側から螺入するねじ３６で固定すると共に、補助材取付凹部２１から突出した上枠ねじ止め用竪壁３９を屋内側から螺入するねじ４７で上枠７に固定することと、上枠ねじ止め用竪壁３９の先端を上方に向けて補助材取付凹部２１内に配置して無目本体ねじ止め用竪壁３７を補助材取付凹部２１を構成する屋内側壁２１ａに屋内側から螺入するねじ３６で固定すると共に、上枠ねじ止め用横壁４１を下から螺入するねじ５７で上枠７に固定することのいずれかを選択自在としてある。【選択図】      図１
2006177022.tif 000002
【特許請求の範囲】
【請求項１】
無目本体と、カバー材と、補助材とを備え、無目本体は屋内側端部上面に立設した下枠ねじ止め用竪壁と、下枠ねじ止め用竪壁よりも屋外側の上面に位置する下枠係合部及び下枠載置部と、屋内側端部下面に設けてあり下方に向けて開口した補助材取付凹部と、補助材取付凹部よりも屋外側の下面に位置する上枠係合部及び上枠上面当接部とを有し、下枠係合部には下枠が屋外側から係合しており、上枠係合部には上枠が屋内側から係合しており、補助材は無目本体ねじ止め用竪壁と、上枠ねじ止め用竪壁と、無目本体ねじ止め用竪壁よりも屋外側に位置する上枠ねじ止め用横壁とを有し、上枠ねじ止め用竪壁の先端を下方に向けて無目本体ねじ止め用竪壁を補助材取付凹部を構成する屋内側壁に屋内側から螺入するねじで固定すると共に、補助材取付凹部から突出した上枠ねじ止め用竪壁を屋内側から螺入するねじで上枠に固定することと、上枠ねじ止め用竪壁の先端を上方に向けて補助材取付凹部内に配置して無目本体ねじ止め用竪壁を補助材取付凹部を構成する屋内側壁に屋内側から螺入するねじで固定すると共に、上枠ねじ止め用横壁を下から螺入するねじで上枠に固定することのいずれかを選択自在としてあり、カバー材は無目本体の屋内側面及び屋内側から螺入するねじの頭部を被覆してあることを特徴とする無目材。
【発明の詳細な説明】
【技術分野】
【０００１】
本発明は、無目材に関する。
【背景技術】
【０００２】
特許文献１には、無目本体の屋内側端部下面と屋外側端部下面の各々にねじを下から螺入してねじ止めする上枠ねじ止め部を設けておき、上枠にも屋外側端部と屋内側端部とにねじ止め部を設けておき、無目本体と上枠との屋外側端部と屋内側端部とを各々下方から螺入するねじで固定することが開示されている。また、特許文献１の技術では、上枠の屋外側端部にねじ止め部がない場合には上枠の屋外側端部に補助材を取り付けて、補助材により無目本体に係合することが開示されている。
特許文献２には、無目本体と上枠とを屋外側端部で係合して、上枠の屋内側端部に設けてたねじ止め用竪壁と、無目本体の屋内側端部に設けたねじ止め用竪壁とを屋内側から螺入するねじで固定することが開示されている。
【０００３】
【特許文献１】特開平１１−１９０１６９号公報
【特許文献２】実公昭６１−４６１５０号公報
【発明の開示】
【発明が解決しようとする課題】
【０００４】
特許文献１の技術では、屋内側端部における上枠と無目本体との固定は、下から螺入するねじで固定するものに限られているから、屋内側から螺入するねじで止める上枠に対しては、別個の無目材を用意しなければならないという不都合がある。
また、特許文献２の技術では、屋内側端部における上枠と無目本体との固定は、屋内側から螺入するねじで固定するものに限られているから、屋内側ねじ止め部を下から螺入するねじで止める上枠に対しては、別個の無目材を用意しなければならないという不都合がある。
【０００５】
そこで、本発明は、下面に取り付ける上枠の屋内側ねじ止め部がねじを屋内側から螺入するものと下から螺入するものとでねじ止め方向が異なる上枠であっても取り付けできる無目材の提供を目的とする。
【課題を解決するための手段】
【０００６】
請求項１に記載の発明は、無目本体と、カバー材と、補助材とを備え、無目本体は屋内側端部上面に立設した下枠ねじ止め用竪壁と、下枠ねじ止め用竪壁よりも屋外側の上面に位置する下枠係合部及び下枠載置部と、屋内側端部下面に設けてあり下方に向けて開口した補助材取付凹部と、補助材取付凹部よりも屋外側の下面に位置する上枠係合部及び上枠上面当接部とを有し、下枠係合部には下枠が屋外側から係合しており、上枠係合部には上枠が屋内側から係合しており、補助材は無目本体ねじ止め用竪壁と、上枠ねじ止め用竪壁と、無目本体ねじ止め用竪壁よりも屋外側に位置する上枠ねじ止め用横壁とを有し、上枠ねじ止め用竪壁の先端を下方に向けて無目本体ねじ止め用竪壁を補助材取付凹部を構成する屋内側壁に屋内側から螺入するねじで固定すると共に、補助材取付凹部から突出した上枠ねじ止め用竪壁を屋内側から螺入するねじで上枠に固定することと、上枠ねじ止め用竪壁の先端を上方に向けて補助材取付凹部内に配置して無目本体ねじ止め用竪壁を補助材取付凹部を構成する屋内側壁に屋内側から螺入するねじで固定すると共に、上枠ねじ止め用横壁を下から螺入するねじで上枠に固定することのいずれかを選択自在としてあり、カバー材は無目本体の屋内側面及び屋内側から螺入するねじの頭部を被覆してあることを特徴とする。
【発明の効果】
【０００７】
請求項１に記載の発明によれば、上枠の屋内側端部のねじ止め部が屋内側から螺入するねじで止める種類のものである場合には、補助材は上枠ねじ止め用竪壁を補助材取付凹部から下方に突出させて補助材取付凹部に配置して上枠ねじ止め用竪壁をねじ止め部として、無目本体に屋内側から螺入するねじで上枠を止める。上枠の屋内側端部のねじ止め部が下から螺入するねじで止める種類のものである場合には、上枠ねじ止め用竪壁の先端を上方に向けて補助材取付部に配置して上枠ねじ止め用横壁をねじ止め部として、無目本体に下から螺入するねじで上枠を止める。したがって、上枠の屋内側ねじ止め部がねじを屋内側から止めるものとねじを下から止めるものとでねじ止め方向が異なる上枠を用いる場合に、必要に応じて補助材の向きを換えて補助材取付凹部に装着し直すことでねじ止め方向に応じた上枠ねじ止め部を選択自在であるから、いずれの上枠でも無目本体にねじ止めできる。
上枠のねじ止め方向が異なる場合には、補助材の向きを入れ替えて補助材取付凹部に配置し直すだけで済み、補助材の取付位置を合わせる必要がないので、施工が容易にできる。
室外側と室内側とにおいて、下枠と上枠とを互いに異なる方向から無目本体に係合しているので、室内側から室外側に向けてサッシ全体に負圧や正圧が作用した場合に、サッシ枠全体が無目材から外れる方向に力が作用しないので、無目材に対するサッシ枠の緩みを防止できる。
カバー材で無目本体の室内側面及び無目本体に取り付けるねじの頭を被覆してあるので、室内側から見た外観が良い。
【発明を実施するための最良の形態】
【０００８】
以下に、添付図面を参照して本発明の実施の形態を説明する。図１は本発明の実施の形態にかかる無目材を用いて無目材の上下に嵌め殺し窓を設けた段窓の縦断面図であり、図２は無目材に下枠と上枠を取り付ける施工工程を示す断面図であり、図３は図１に示す嵌め殺し段窓をＡ−Ａ位置で切断した横断面図であり、図４は図１に示す無目材の上下に引戸を設けた段窓において、無目材に上枠及び下枠を取り付けた部分を示す断面図である。
本実施の形態にかかる無目材１は、上下に嵌め殺しサッシ３、３が設けられており、無目材１の上面には嵌め殺しサッシ３の下枠５が取り付けてあり、下面には嵌め殺しサッシ３の上枠７が取り付けられている。
無目材１は、無目本体９と、補助材１１と、カバー材１３とから構成されている。
無目本体９は上面に下枠ねじ止め用竪壁１５と、下枠係合部１７と、下枠載置部１９とを有し、下面に補助材取付凹部２１と、上枠係合部２３と、上枠上面当接部２５とを有している。
下枠ねじ止め用竪壁１５は、無目本体９の屋内側端部上面に立設しており、上端にカバー材との係合部２７が設けてある。下枠ねじ止め用竪壁１５は屋外側面に下枠５の屋内側端面５ａを重ねて配置しており、下枠５と下枠ねじ止め用竪枠１５とを屋内側から螺合したねじ３１で固定している。
下枠係合部１７及び下枠載置部１９は、下枠ねじ止め用竪壁１５よりも屋外側に位置しており、本実施の形態では下枠載置部１９の屋外側に下枠係合部１７を設けてある。下枠係合部１７は屋外側に向けて開口した溝であり、下枠５に設けてある被係合部５ｂが屋外側から係合している。
無目本体９の屋外側端部上面にも下枠５の屋外側端部５ｃが屋外側から係合する係合部３１が設けてある。
補助材取付凹部２１は、下向きに開口した溝であり、凹部の屋内側壁２１ａに一方の係止部３３が屋外側壁２１ｂに他方の係止部３４が設けてあり、補助材１１は無目本体９の長手方向端部からを長手方向に挿通して補助材取付凹部２１に装着してある。補助材取付凹部２１には屋内側壁２１ａに屋内側から螺合したねじ３６で補助材１１を固定している。
上枠係合部２３及び上枠上面当接２５部は、補助材取付凹部２１よりも屋外側の下面に位置しており、本実施の形態では上枠上面当接部２５の屋外側に上枠係合部２３が位置している。上枠係合部２３は無目本体９の屋外側端部で屋内側が開口する溝であり、上枠７の屋外側端部に設けた被係合部７ａが屋内側から係合している。
補助材１１は無目本体ねじ止め用竪壁３７と、上枠ねじ止め用竪壁３９と、無目本体ね上枠ねじ止め用横壁４１とを有している。
無目本体ねじ止め用竪壁３７は、補助材取付凹部２１の屋内側壁２１ａに重ねて配置されて屋内側からねじ３６により固定されている。また、無目本体ねじ止め用竪壁３７の上端には被係止部４３が設けてあり、補助材取付凹部２１の屋内側壁２１ａに設けた一方の係止部３３に係止されている。
上枠ねじ止め用竪壁３９は、無目本体ねじ止め用竪壁３７と上下に連続しており、嵌め殺しサッシの上枠を取り付ける場合（図１）には、無目本体ねじ止め用竪壁３７の下に位置し、先端を下方に向けて補助材取付凹部２１から突出して配置してある。上枠ねじ止め用竪壁３９は上枠７の屋内側壁７ｂに屋外側から重ねて屋外側から止めるねじ４７により固定してある。
補助材１１において、無目本体ねじ止め用竪壁３７と上枠ねじ止め用竪壁３９との間には無目本体９の屋内側下端４９と上枠７の屋内側上端７ｃを突き合せて係止する係止部５１が設けてある。係止部５１は屋内側を向けて開口した凹部である。
カバー材１３は、無目本体９の屋内側面を被覆しており、上方から螺合したねじ５２で下枠５の屋内側部に固定しており、下方から螺合したねじ５３で上枠７の屋内側端部に固定している。
【０００９】
次に、本実施の形態にかかる無目１と下枠５及び上枠７との施工、作用及び効果について説明する。
工場からの出荷時において、無目本体９の補助材取付凹部２１には、無目本体９の端部から補助材１１を挿通して、補助材１１を無目本体９にねじ３６で固定しておく。本実施の形態では、補助材１１の上枠ねじ止め用竪壁３９は補助材取付凹部２１の下方に突出して配置している。
施工現場において、無目材１の上下に嵌め殺しサッシを施工する場合には、無目本体９の上面に下枠５を屋外側から配置して（図２（ａ））、無目本体９の下枠係合部１７に屋外側から下枠５の被係合部５ｂを係合すると共に下枠５の屋外側端部５ｃを無目本体９の屋外側係止部３１に係止し、且つ下枠５の屋内側端部５ａを無目本体９の下枠ねじ止め用竪壁１５に重ねて屋内側から止めるねじ３１で固定する（図２（ｂ））。
次に、無目本体９の下面に上枠７を屋内側から配置して（図２（ｂ））、無目本体９の上枠係止部２３に屋内側から上枠７の係止部７ａを係止すると共に補助材１１の上枠ねじ止め用上壁３９に屋内側から上枠７の屋内側壁７ｂを重ねて屋内側から止めるねじ４７で固定する（図２（ｃ））。
その後、カバー材１３を無目本体９の屋内面に配置し、上方からねじ５２でカバー材１３の上端を下枠５に固定し、下方からねじ５３でカバー材１３の下端を上枠７に固定する（図２（ｃ））。
【００１０】
一方、図４に示すように、無目材１の上下に引戸サッシを施工する場合について説明する。引戸サッシの上枠８は、無目本体９とのねじ止め部５５が上枠８の下面にあり、下から螺合するねじ５７で無本体９にねじ止めするようにしてあり、屋内側からねじ止めする嵌め殺しサッシの上枠７とねじの取付方向が異なっている。尚、無目本体９の上枠係合部２３に係合する被係合部８ａは嵌め殺しサッシの上枠７と同じ位置にあり、上枠上面当接部２５に当接する上枠上面も嵌め殺しサッシの上枠７と同じ位置にある。
施工においては、まず、無目本体９において補助材取付凹部２１に補助材１１を止めているねじ３６を外し、補助材１１を補助材取付凹部２１から引き抜いて、上枠ねじ止め用竪壁３９の先端を上に向けて補助材取付凹部２１に再度装着し直す。この場合、補助材取付凹部２１の屋内側係止部３３に、無目本体ねじ止め用竪壁３７と上枠ねじ止め用竪壁３９との間にある係止部５１を係止し、ねじ３６で補助材１１を補助材取付凹部２１に固定する。
そして、無目本体９の上面に引戸サッシの下枠６を取り付けるが、引戸サッシの下枠６は嵌め殺しサッシの下枠５と同じ位置に屋内側端部６ａ、被係合部６ｂ及び屋外側端部６ｃが設けてあるので、引戸サッシの下枠６は嵌め殺しサッシの下枠５と同様にして無目本体９の上面に下枠６を取り付ける。
次に、無目本体９の下面に引戸サッシの上枠８を取り付けるが、上枠８も嵌め殺しサッシの上枠７と同様に屋内側から無目本体９の下面に配置すると共に上枠８のねじ止め部５５を上枠ねじ止め用横壁４１の下に配置して、下から止めるねじ５７で固定する。
本実施の形態によれば、上枠の屋外側端部にあるねじ止め部が、ねじを屋内側から止める上枠（嵌め殺しサッシの上枠）７や下から止める上枠（引戸サッシの上枠）８のいずれの場合でも、補助材１１を上下入れ替えることによりねじ止め方向に応じた上枠ねじ止め部を選択自在としてあるから、同じ無目材１に取り付けできる。
嵌め殺しサッシの上枠７と引戸サッシの上枠８とで屋内側ねじ止め部がねじを屋内側から止める場合と下からとめる場合とで異なる場合には、補助材１１を上下入れ替えて補助材取付凹部２１に装着し直すだけであり、補助材１１の位置合わせが必要ないので施工が容易にできる。
工場からの出荷時に補助材１１は無目本体９の補助材取付凹部に固定してあるから、施工現場で補助材１１を紛失するおそれがない。しかも補助材１１は無目本体９に取り付けてあるから、出荷時の部品点数を少なくできる。
室外側と室内側とにおいて、下枠５と上枠７とを互いに異なる方向から無目本体９に係合しているので、室内側から室外側に向けてサッシ３全体に負圧や正圧が作用した場合に、サッシ枠全体が無目材１から外れる方向に力が作用しないので、無目材１に対するサッシ枠３の緩みを防止できる。
カバー材１３で無目本体９の室内側面及び無目本体に取り付けるねじ３１、３６、４７の頭を被覆してあるので、室内側から見た外観が良い。
【００１１】
本発明は、上述した実施の形態に限らず、本発明の要旨を逸脱しない範囲で種々変形可能である。
例えば、図５に示す変形例のように、補助材１１に設けた上枠ねじ止め用竪壁３９は、無目本体ねじ止め用竪壁３７よりも屋内側に設けてもよい。尚、図５（ａ）は屋内側から止めるねじ４７で補助材１１に上枠７を止めた部分を示す断面図であり、図５（ｂ）は下から止めるねじ５７で補助材１１に上枠７を止めた部分を示す断面図である。
下枠係合部１７が下枠載置部１９よりも屋内側に位置するものであってもよいし、上枠係合部２３が上枠上面当接部２５よりも屋内側に位置するものであってもよい。
補助材取付凹部２１には屋内側係止部３３を設けないで且つ補助材１１の無目本体ねじ止め用竪壁３７と上枠ねじ止め用竪壁３９との間に係止部５１を設けないで、無目本体ねじ止め用竪壁３７と上枠ねじ止め用竪壁３９とを直接連続させてもよい。
図１及び図４に示す上下のサッシ３において、無目材９の上に設けるサッシと下に設けるサッシとを相互に異なる窓種としてもよい。また、無目材１の上下に設ける各サッシはすべり出しサッシや開きサッシでもよく、下枠５、９や上枠７、８の窓種は問わない。更に、図１に示す下枠５と図４に示す下枠８とは同種の窓でねじの取付方向が屋内側から取り付けるものと下から取り付けるものとでねじ止め方向が異なるものであってもよい。
【図面の簡単な説明】
【００１２】
【図１】本発明の実施の形態にかかる無目材を用いて無目材の上下に嵌め殺し窓を設けた段窓の縦断面図である。
【図２】無目材に下枠と上枠を取り付ける施工工程を示す断面図である。
【図３】図１に示す嵌め殺し段窓をＡ−Ａ位置で切断した横断面図である。
【図４】図１に示す無目材の上下に引戸を設けた段窓において、無目材に上枠及び下枠を取り付けた部分を示す断面図である。
【図５】変形例を示し、（ａ）は屋内側から止めるねじで補助材に上枠を止めた部分を示す断面図であり、（ｂ）は下から止めるねじで補助材に上枠を止めた部分を示す断面図である。
【符号の説明】
【００１３】
１      無目材
９      無目本体
１１    補助材
１３    カバー材
１５    下枠ねじ止め用竪壁
１７    下枠係合部
１９    下枠載置部
２１    補助材取付凹部
２３    上枠係合部
２５    上枠上面当接部
３７    無目本体ねじ止め用竪壁
３９    上枠ねじ止め用竪壁
４１    上枠ねじ止め用横壁
【図１】
2006177022.tif 000003
【図２】
2006177022.tif 000004
【図３】
2006177022.tif 000005
【図４】
2006177022.tif 000006
【図５】
2006177022.tif 000007